(57)【要約】      （修正有）【課題】検査方法をより簡便にし、検査所要時間を短縮すると共に正確な診断がおこなえる方法及びその検査に用いる簡便な器具の提供。【解決手段】標識抗体含浸フィルター５内蔵の第１キャップ３を装着した検体収容容器１を注入用容器９に嵌合し、検体収容容器から希釈検体液ａを注入用容器内に吐出し、吐出液を注入用容器内で攪拌・混合した後テストデバイスに吐出・注入して反応を観察し、検体中の抗原の有無や種別を検査・診断する検体の免疫学的検査方法及び希釈検体液を濾過しながら標識抗体を添加する操作とこの検体濾過液を攪拌する操作とこの攪拌液をさらに濾過しながらテストデバイスに注入する操作とを一体化させた容器を用いておこなう検体の免疫学的検査方法。これらに用いる検体の検査器具。これらの検査方法及び検査器具は、インフルエンザウイルスなどの感染症の検査や緊急簡易検査に用いるのに好適である。【選択図】図１
2005249388.tif 000002
【特許請求の範囲】
【請求項１】
標識抗体を含浸させたフィルターを内蔵しているキャップを装着した検体収容容器を注入用容器に嵌合し、検体収容容器から検体液又はその希釈液を注入用容器内に吐出し、吐出した液を注入用容器内で攪拌・混合した後注入用容器からテストデバイスに吐出・注入して反応を観察し、検体中の抗原の有無や種別を検査・診断することを特徴とする検体の免疫学的検査方法。
【請求項２】
検体液又はその希釈液を濾過しながら標識抗体を添加する操作とこの標識抗体を含む検体濾過液を攪拌する操作とこの攪拌した検体濾過液をさらに濾過しながらテストデバイスに注入する操作とを、一体化させた容器を用いておこなうこととした請求項１に記載の検体の免疫学的検査方法。
【請求項３】
検体中の抗原がインフルエンザウイルスである請求項１又は２に記載の検体の免疫学的検査方法。
【請求項４】
少なくとも、以下の（１）〜（５）の部材からなり、これらの部材を一体化させて検体の免疫学的検査のために用いる検査器具。
（１）先端が小孔を有するノズル状であり、かつ、標識抗体を含浸させた第１フィルター  を内蔵している第１キャップ
（２）先端に第１キャップを装着して検体収容容器を形成する可撓性の容器本体
（３）第１キャップの小孔と連通する小孔を有し、第１キャップのノズル状部に嵌め込ん  で用いる攪拌子
（４）先端が小孔を有するノズル状であり、かつ、第２フィルターを内蔵している第２キ  ャップ
（５）先端に第２キャップを装着すると共に、後端から検体収容容器を挿入して回転自在  に嵌合させ、次いで、密封状態に嵌合することが可能な注入用容器
【請求項５】
インフルエンザウイルスの検査・診断に用いる請求項４に記載の検査器具。
【発明の詳細な説明】
【技術分野】
【０００１】
本発明は検体の免疫学的な検査方法とその方法に用いる検査器具に関する。詳しくは、本発明は、抗原抗体反応を用いる臨床検体の免疫学的検査方法において、各種抗原の有無や種別を簡易・迅速かつ正確に検査・診断するための新規な方法とその検査方法に用いる新規な検査器具に関する。
【背景技術】
【０００２】
検体として、血液、尿、便、鼻汁液、痰或いはスワブ検体として収集された分泌液などを用いる臨床検査として、検体に含まれる特定の抗原を抗原抗体反応を利用して検出する免疫学的な検査方法が広く用いられている。その一般的な方法は、およそ以下のとおりである。
（１）上記のような検体液又はその希釈液（以下、これらを濾過した液を併せて「希釈検体液」と称する。）を、酵素、金属コロイド、着色ラテックス、色素などの呈色識別物質で抗体を標識した標識抗体液と接触させる。
（２）この接触により、検体中の抗原と標識抗体とを特異的に反応させて、抗原抗体の免疫複合体を形成させる。
（３）その免疫複合体の量を、目視によるか又は光学的な変化として測定し、検体中の抗原の定性測定又は定量測定をおこなう。
【０００３】
上記の検査方法を応用して、ウイルス感染の有無、妊娠判定、ガン疾患の罹病確認などを、簡便かつ迅速に検査・診断する手段として、種々の簡易診断キットが開発され、市販されている。その一例として、インフルエンザウイルスの感染の有無の診断キットの状況について説明する。
【０００４】
インフルエンザウイルスは、オルソミクソウイルス科に属し、直径８０〜１２０ｎｍの球状ウイルスである。血清学的にはＡ型・Ｂ型・Ｃ型の３つの型に分類される。我が国において冬季の流行の原因となっているのは、主にＡ型とＢ型である。
【０００５】
インフルエンザに対しては、従来、抗生物質や抗炎症剤などを用いた対症療法がおこなわれてきた。しかし、近年、抗ウイルス性の医薬品が適用可能となったことから、その治療や感染防止の観点上、できる限り早期に適切な治療薬を選択し、患者に投与することが必要となっている。こうした背景により、インフルエンザウイルスの感染の有無を検査できる診断キットの実用化が急速に進み、各社により、ＥＬＩＳＡ(enzyme-linkedimmunosorbent assay) をベースにした簡易型の診断キットが開発され、市販されている。特開２００１−１２４７７５号公報（特許文献１）や特開２０００−２３０９３１号公報（特許文献２）にはこれらの一例が開示されている。
【０００６】
これら診断キットには、クロマト式、フロースルー式のアッセイなどがあるが、フロースルー式の基本的な測定原理がサンドイッチＥＬＩＳＡであることから、Ｂ／Ｆ分離を必要とする作業ステップが複数あり、そのため、例えば、開業医が患者から試料を採取し、市販の診断キットを用いて検査しても、その結果が得られるまでにはかなりの時間（１０分以上）を要している。それ故、できる限り早期に検査・診断結果が得られるように、操作ステップの簡素化や測定時間の短縮が強く望まれている。
【０００７】
このような状況の下、本発明者らは、標識抗体を含浸させてあるフィルターを内蔵したキャップを希釈検体液を収容した容器本体に装着してこの検体収容容器から標識抗体を含む検体濾過液をテストデバイスに注入して反応を観察し、検体中の抗原の有無や種別を検査する方法を開発した（特願２００３−６３８３２号）。この検査方法は、簡便であり、かつ、検査者の個人差による影響を少なくするという効果や保存中に標識抗体の凝集が生じにくいという効果を有するが、標識抗体を含む検体濾過液をテストデバイスに注入するとき、高濃度の標識抗体を含む液が先に出てくることがある。そのため、標識抗体を含む検体濾過液を、一旦、別の容器に注入して攪拌した後、別のフィルターで濾過してからテストデバイスへ注入する方法も考えられるが、操作ステップが多くなる上、必要な容器の数が増え、複雑になるという問題がある。また、そのような問題の有無に関わらず、抗原抗体反応を応用した免疫学的な検査方法とその方法に用いる器具については、つねに、一層の正確化・簡便化・迅速化が求められている。
【特許文献１】特開２００１−１２４７７５号公報
【特許文献２】特開２０００−２３０９３１号公報
【非特許文献１】金澤実・菅谷憲夫「インフルエンザ診療マユアル」株式会社南江堂２００１年２月２０日第１刷発行の１１０〜１１５頁
【発明の開示】
【発明が解決しようとする課題】
【０００８】
本発明は、上記の実情に鑑みて開発されたものであって、検体の免疫学的な検査・診断において、検査方法をより簡便にし、検査所要時間を短縮すると共に、正確な診断がおこなえる方法及びその検査に用いる簡便な器具を提供することを課題とする。
【課題を解決するための手段】
【０００９】
上記の課題を解決するために特許請求の範囲・請求項１に記載する発明は、標識抗体を含浸させたフィルターを内蔵しているキャップを装着した検体収容容器を注入用容器に嵌合し、検体収容容器から検体液又はその希釈液を注入用容器内に吐出し、吐出した液を注入用容器内で攪拌・混合した後注入用容器からテストデバイスに吐出・注入して反応を観察し、検体中の抗原の有無や種別を検査・診断することを特徴とする検体の免疫学的検査方法である。
【００１０】
また、同請求項２に記載する発明は、検体液又はその希釈液を濾過しながら標識抗体を添加する操作とこの標識抗体を含む検体濾過液を攪拌する操作とこの攪拌した検体濾過液をさらに濾過しながらテストデバイスに注入する操作とを、一体化させた容器を用いておこなうこととした請求項１に記載の検体の免疫学的検査方法である。
【００１１】
また、同請求項３に記載する発明は、検体中の抗原がインフルエンザウイルスである請求項１又は２に記載の検体の免疫学的検査方法である。
【００１２】
また、同請求項４に記載する発明は、少なくとも、以下の（１）〜（５）の部材からなり、これらの部材を一体化させて検体の免疫学的検査のために用いる検査器具である。
（１）先端が小孔を有するノズル状であり、かつ、標識抗体を含浸させた第１フィルター  を内蔵している第１キャップ
（２）先端に第１キャップを装着して検体収容容器を形成する可撓性の容器本体
（３）第１キャップの小孔と連通する小孔を有し、第１キャップのノズル状部に嵌め込ん  で用いる攪拌子
（４）先端が小孔を有するノズル状であり、かつ、第２フィルターを内蔵している第２キ  ャップ
（５）先端に第２キャップを装着すると共に、後端から検体収容容器を挿入して回転自在  に嵌合させ、次いで、密封状態に嵌合することが可能な注入用容器
【００１３】
また、同請求項５に記載する発明は、インフルエンザウイルスの検査・診断に用いる請求項４に記載の検査器具である。
【発明の効果】
【００１４】
特許請求の範囲・請求項１に記載の検体の検査方法は、上記の構成であるから、標識抗体を含む検体濾過液を注入用容器内で十分に攪拌・混合した後でテストデバイスに注入するので、検体と標識抗体が十分に混和された状態で免疫複合体を形成することができ、その状態の濾過液をテストデバイスに注入することができるので、検体中の抗原の有無や種別をより正確に検査・診断できる。また、同請求項２に記載の検体の検査方法は、上記の構成であるから、希釈検体液と標識抗体との混合・攪拌・濾過・テストデバイスへの注入の操作を一体化した容器を用いておこなうので、一連の操作としてきわめて容易かつ迅速におこなうことができる。したがって、検体の検査に要する時間を短縮でき、正確な検査結果を短時間のうちに知見できる。その上、全ての操作を一体化させた容器内でおこなうので、検査者が検査対象のウイルスなどに感染するリスクが低減できると共に、器具の廃棄作業も楽におこなうことができる。また、同じく請求項４に記載の本発明に係る検査器具は、上記の構成であるから、使用方法が簡便であり、各種のウイルス感染の有無を検査・診断する診断キットに組み込んで用いるのに最適である。すなわち、本発明に係る検体の検査方法とその方法に用いる検査器具は、臨床検体、例えば、血液、尿、便、鼻孔・鼻腔・咽頭・鼻咽頭などを由来とする鼻汁液や鼻汁吸引液、痰或いはスワブ検体として収集された分泌液などの各種の検体を免疫学的に検査するのに有用であり、インフルエンザウイルスなどの感染症の検査や緊急簡易検査などに好適に用いることができる。特に、ヒトインフルエンザＡ型ウイルス又はヒトインフルエンザＢ型ウイルスの存在を短時間のうちに検出し、かつ、鑑別するための方法及びそのための器具として大いに有用である。
【発明を実施するための最良の形態】
【００１５】
本発明の説明において、「第１フィルター」とは、標識抗体を含浸させてあるフィルター（標識抗体を含浸させた濾紙と他の濾紙を組み合わせた構成のフィルターを含む）のことであり、第１フィルターを内蔵するキャップを「第１キャップ」と言う。また、「第２フィルター」とは、標識抗体を含浸させていないフィルター（数枚の濾紙を組み合わせた構成のフィルターを含む）のことであり、第２フィルターを内蔵するキャップを「第２キャップ」と称する。また、本発明において、標識抗体を含む検体濾過液を注入して抗原の有無や種別を表示させ、検査結果を診断するための部材を「テストデバイス」と称する。
【００１６】
本発明に係る検査器具は、検体収容容器と注入用容器と攪拌子とで構成され、これらの容器や部材を一体化させて用いる。すなわち、本発明の検査方法を概括的に説明すれば、以下のとおりである。
（１）検体収容容器の容器本体に希釈検体液を収容する。容器本体は、指で押圧すると凹む程度の可撓性を有する必要がある。例えば、軟質ポリエチレン製のものが好ましい。また、容器本体は、下窄まりのテーパー状の細い筒型であり、かつ、その外壁のほぼ中央部（抽出用容器の内壁に嵌合する位置）に複数のリブを設けてあることが好ましい。
（２）第１フィルター（標識抗体を含浸させたフィルター）を第１キャップに挿入して内蔵させる。第１キャップは、先端を小孔を有するノズル状に成形したものである。
（３）希釈検体液を収容した容器本体に第１キャップを装着して検体収容容器とする。
（４）第１キャップのノズル状部の先端に攪拌子を取り付ける。攪拌子は、出っ張った攪拌翼を備え、その中心部に第１キャップのノズル状部の小孔に連通する小孔を貫通してある。したがって、攪拌子を取り付けた状態で検体収容容器の側壁を指で押圧すると、希釈検体液が攪拌子の先端から吐出される。
（５）一方、注入用容器の先端に第２フィルター（標識抗体を含浸させていないフィルター）を内蔵した第２キャップを装着する。注入用容器は、例えば、内窄まりのテーパー状の細い筒型であり、その後端は、検体収容容器の外壁と嵌合が可能であると共に開放状態に形成してある。すなわち、抽出用容器には底部がない。
（６）攪拌子を取り付けた検体収容容器を注入用容器の後端から挿入して、まず、回転自在に嵌合させる。抽出用容器の内壁と検体収容容器の外壁に設けたリブの部分とが接触するように嵌合すると、注入用容器との嵌合状態を維持しながら検体収容容器を容易に回転させることができる。
（７）注入用容器と嵌合した検体収容容器の容器本体の側壁を指で押圧して希釈検体液を注入用容器内に吐出する。そうすると、第１キャップのノズル状部に取り付けた攪拌子の周囲は吐出された希釈検体液で充満する。なお、吐出された希釈検体液は、第１フィルター（標識抗体を含浸させてあるフィルター）を通過したので、「標識抗体を含む検体濾過液」の状態となっている。
（８）検体収容容器を把持して回転させることによって先端の攪拌子を回転させ、注入用容器内の標識抗体を含む検体濾過液を攪拌・混合する。この操作によって、検体中の抗原と標識抗体とが十分に混和された状態で免疫複合体を形成することができる。
（９）次いで、検体収容容器を押し込んで、抽出用容器に密着させる。検体収容容器と抽出用容器とを、どちらも下窄まりのテーパー状に形成してあると、検体収容容器を押し込むだけで両者は容易に密着し、密封する。
（10）再び検体収容容器の側壁を押圧して注入用容器内の標識抗体を含む検体濾過液の全量を注入用容器に装着した第２キャップの先端からテストデバイスへ吐出・注入する。
（11）テストデバイスは、表面に開口部を有し、吸収材（脱脂綿や吸収紙など）と抗体を固定化させた多孔性膜材（メンブレンなど）を収納してある。テストデバイスに注入された標識抗体を含む検体濾過液は、検体中の抗原と標識抗体との免疫複合体を多孔性膜材に吸着させる。
（12）テストデバイスに洗浄液を注入して多孔性膜材を洗浄する。
（13）テストデバイス上の反応を観察して、抗原の有無や種別を鑑別・診断する。
【００１７】
本発明に係る検体の検査方法は、上記の構成であるから、標識抗体を含む検体濾過液を注入用容器内で攪拌・混合した後でテストデバイスに注入するので、検体と標識抗体とが十分に混和された状態で免疫複合体を形成し、その状態でテストデバイスに注入されるので、正確な抗原抗体反応を知見できる。また、希釈検体液と標識抗体液との濾過・混合、標識抗体を含む検体濾過液の攪拌・濾過・テストデバイスへの注入の操作を一体化した容器を用いておこなうので、一連の操作としてきわめて容易かつ迅速におこなうことができる。したがって、検体の検査に要する時間を短縮でき、正確な検査結果を短時間のうちに知見できる。その上、全ての操作を一体化させた容器内でおこなうので、検査者が検査対象のウイルスなどに感染するリスクが低減できると共に、器具の廃棄作業も楽におこなうことができる。
【００１８】
上記の説明において、検体収容容器の容器本体として下窄まりのテーパー状に形成した細い管で、その外壁に複数のリブを形成してあるものを用い、また、注入用容器の本体として、下窄まりのテーパー状に形成した細い管を用いたので、検体収容容器と注入用容器とを回転自在に嵌合することができ、かつ、検体収容容器を押し込むだけで、両者を容易に密着させ、隙間なく密封することができた。しかし、本発明の検体収容容器と注入用容器の形状・構造は、上記説明に限るものではなく、要は、まず、検体収容容器を注入用容器に回転自在に嵌合することができ、次いで、両者を密着状態にして嵌合させ、両者を一体的に用いることができるのであれば、どのような形状・構造にしても差し支えない。
【００１９】
なお、本発明の説明において「密封」とは、検体収容容器と注入用容器を嵌合して一体化した後、検体収容容器を押圧することにより注入用容器から標識抗体を含む検体濾過液を吐出することが可能となるように気密化することを意味する。
【００２０】
また、本発明で用いる第１キャップ及び第２キャップー（どちらも「フィルターホルダー」の役割をする部材）の形状・構造は、フィルターを内蔵できる形状・構造であればよく、特に限定はないが、本発明者らが開発した「漏斗構造型のキャップ」（特願２００３−３３９９４７号）を用いることが好ましい。すなわち、特願２００３−３３９９４７号のキャップは、フィルターの装着部以降の吐出側の内壁を内窄まりのテーパー状とそれに続く細管状の漏斗構造に形成してあるので、濾過された希釈検体液がスムースに流れ、濾過液に乱流を生じることがない。そのため、希釈検体液の濾過や標識抗体を含む検体濾過液の再濾過を効率的におこなうことができる。さらに、上記内窄まりのテーパー状の部分に細管部に向かって伸びる複数のリブを設けると、濾過の際の抵抗が小さくなり、一層容易かつ迅速に濾過をおこなうことができ、したがって、検査所要時間を一層短縮することができる。
【００２１】
本発明で用いるフィルターの材質は、特に制限はないが、高密度ポリエチレン重合体濾布、ガラス繊維系濾布、セルロース系濾紙などの、一般に濾布又は濾紙として使用されている材料を用いることが好ましい。また、標識抗体を第１フィルターに含浸させる方法としては、フィルターを構成する濾布又は濾紙を標識抗体液に浸漬するか又は濾布又は濾紙に標識抗体液を塗布ないし滴下するなど任意の方法を採ることができる。フィルターを工業的に生産するときは、塗布機を用いて一定量を塗布すればよい。
【００２２】
本発明において、標識抗体を含浸させた第１フィルターを第１キャップに内蔵させる方法は任意であるが、例えば、第１キャップのノズル側（吐出口側）から、標識抗体を含浸させたガラス繊維系濾布からなる第１フィルター、標識抗体を含浸させてない高密度ポリエチレン重合体濾布からなるフィルターの順に重ねて多層構造にして装填してもよい。第２フィルターを第２キャップに内蔵するときも、上記に準じて多層構造にして装填してもよい。また、本発明において、標識抗体の作成に用いる呈色物質としては、酵素、貴金属コロイド、色素、着色ラテックスなど任意のものを用いて差し支えないが、貴金属コロイド粒子を用いるのが好ましく、貴金属コロイド粒子の中でも、特に、広く知られている金コロイド調製法により調製した金コロイド粒子を用いるのが好ましい。
【００２３】
以下、本発明に係る検査用器具とその適切な使用方法の実施例を図面に基づいて詳細に説明する。
【実施例１】
【００２４】
図１は、本実施例の検体の検査方法及びその方法に用いる検査器具の説明図である。図２のＡは、本実施例で用いる検体収容容器を注入用容器に回転自在に嵌合させた状態を示す説明図であり、同Ｂは、検体収容容器を注入用容器に密着させた状態を示す説明図である。
【００２５】
まず、本実施例における各部材の構成について説明する。
【００２６】
図１において、１は、希釈検体液ａを収容してある可撓性の容器本体２に、先端に小孔を有するノズル状部31を備えた第１キャップ３を装着して成る検体収容容器である。検体収容容器１の容器本体２は、図示のとおり、やや下窄まりのテーパー状に形成してあり、希釈検体液ａの収容部の上方の外壁に３本のリブ21・21・21を設けてあり、かつ、その後方にストッパー22を設けてある。また、第１キャップ３のノズル状部31には内部と連通する細い溝32が穿ってあり、さらに、ノズル状部31の先端には出っ張った攪拌翼41を有する攪拌子４を装着してある。攪拌子４も先端に小孔を有し、この小孔は攪拌子４をキャップ３のノズル状部31に装着したとき第１キャップ３の細い溝32と連通するようにしてある。また、第１キャップ３は、貴金属コロイドなどで抗体を標識した標識抗体を含浸させてある板状の第１フィルター５を内蔵している。
【００２７】
図１において、８は、前端に第２キャップ６を装着してあり、後端は検体収容容器１の容器本体２と嵌合し、押し込めば密着可能な状態の、やや下窄まりのテーパー状に形成してある注入用容器の容器本体である。第２キャップ６は、板状の第２フィルター７（標識抗体を含浸させていないフィルタ−）を内蔵している。本実施例において、これらの部材や容器は全て硬質又は軟質のプラスチック材で製することが好ましい。
【００２８】
次に、これらの部材や容器を一体化する方法について説明する。
【００２９】
まず、図１の左図に示すように、検体収容容器１の容器本体２に希釈検体液ａを収容する。次いで、第１フィルター５を第１キャップ３に装着し、攪拌子４を第１キャップ３のノズル部31に取り付ける。次いで、第１キャップ３を容器本体２に嵌め込むと、図１の右上図のとおり、希釈検体液ａを収容してあり、先端に攪拌子４を装着した検体収容容器１ができ上がる。
【００３０】
一方、第２フィルター７を第２キャップ６に装着し、さらに第２キャップ６を注入用容器の容器本体８に装着すると注入用容器９ができ上がる。この注入用容器９に対して、図２に示すように、その後端から検体収容容器１の先端を挿入し、嵌合させ、両者を一体化する。なお、容器本体２の外壁にストッパ−22を設けておくと、検体収容容器１と注入用容器９との嵌合状態の目安となり、検体収容容器１の過度の押し込みを防止できる。
【００３１】
このように、先端に攪拌子４を取り付けてある検体収容容器１と注入用容器９とを一体化させた状態で検体収容容器１の容器本体２の側壁を指で押圧すると、検体収容容器１に収容されている希釈検体液ａは第１フィルター５（標識抗体を含浸させたフィルター）を通って、注入用容器９内へ吐出される。このとき、希釈検体液ａが第１フィルター５に含浸させてある標識抗体と接触して「標識抗体を含む検体濾過液」となり、検体中の抗原は標識抗体と反応して免疫複合体を形成する。
【００３２】
検体収容容器１の容器本体２の側壁を十分に押圧して検体希釈液ａの全部を注入用容器９内に吐出させた後、例えば、左手で注入用容器９を把持したまま右手で検体収容容器１の側壁をつかんで回転すると、第１キャップ３の先端に取り付けた攪拌子４が回転するので、注入用容器９内に吐出され攪拌子４の周囲に充満している標識抗体を含む検体濾過液が攪拌される。これを数回繰り返すと、標識抗体を含む検体濾過液は十分に攪拌・混合される。この操作によって、検体中の抗原と標識抗体とが十分に混和された状態で免疫複合体を形成することができる。
【００３３】
次いで、検体収容容器１を押し込んで、注入用容器９に密着させる。検体収容容器１と注入用容器９とは、どちらも下窄まりのテーパー状の細い筒型に形成してあるので、検体収容容器１を押し込むだけで両者は容易に密着し、密封する。その時点で、再び検体収容容器１の容器本体２の側壁を押圧して注入用容器９内の標識抗体を含む検体濾過液の全量を注入用容器９に装着した第２キャップ６の先端からテストデバイスへ吐出・注入する。
【００３４】
テストデバイスは、表面に開口部を有し、吸収材としての脱脂綿と抗体を固定化させたメンブレンを収納してある。テストデバイスに注入された標識抗体を含む検体濾過液は、検体中の抗原と標識抗体との免疫複合体をメンブレンに吸着させるので、テストデバイスに洗浄液を注入してメンブレンを洗浄する。しかる後、テストデバイス上の反応を観察して、抗原の有無や種別を鑑別・診断する。
【００３５】
上記の実施例において、検体収容容器１の容器本体２として下窄まりのテーパー状に形成した細い管で、かつ、その外壁に３本のリブ21・21・21を形成してあるものを用いたので、検体収容容器１を注入用容器９の後端から挿入すると、図２のＡに示すように、検体収容容器１の外壁の３本のリブ21・21・21が注入用容器９の内壁に接触することによって両者の嵌合状態が維持されると共に、検体収容容器１と注入用容器９との嵌合部分は３本のリブ21・21・21の接触面のみであるから、検体収容容器１と注入用容器９との嵌合を回転自在に維持することができる。また、検体収容容器１の容器本体２と注入用容器９の容器本体８とは、どちらも、下窄まりのテーパー状に形成した細い管を用いたので、図２のＢに示すように、検体収容容器１を押し込むだけで両者を容易に密着させ、隙間なく密封することができる。なお、図２のＢに示すように、検体収容容器１を押し込むとき、検体収容容器１に取り付けた攪拌子４の攪拌翼が注入用容器９又はこれに装着した第２キャップ６の内壁に当接するように形成すると、検体収容容器１と注入用容器９との密着はさらに好ましい状態になる。しかし、検体収容容器１と注入用容器９の形状・構造は、上記実施例に限るものではなく、要は、まず、検体収容容器１を注入用容器９に回転自在に嵌合することができ、次いで、両者を密着状態にして嵌合させ、両者を一体的に用いることができるのであれば、どのような形状・構造にしても差し支えない。  以下、試験例をもって、本発明をさらに詳細に説明する。
【試験例１】
【００３６】
＜本発明法と従来法の検査精度の確認試験＞
（１）試験方法
実施例１で使用した検体収容容器の容器本体、第１フィルター（標識抗体を含浸させてあるフィルター）、第１キャップ（第１フィルターを内蔵したキャップ）、第２フィルター（標識抗体を含浸させてないフィルター）、第２キャップ（第２フィルターを内蔵したキャップ）、注入用容器、テストデバイスなどと同一の部材や容器を用い、以下の２通りの方法によって、検体の免疫学的な検査をおこなった。両方法とも、同じ検体について同じ標識抗体や同じ希釈液・洗浄液を用い、同じテストデバイスに注入して洗浄後、反応を観察した。試験結果は表１と表２に示すとおりである。
ａ．従来法：
検体収容容器の容器本体に希釈検体液を収容し、標識抗体液を３滴滴下して混和した  後、容器本体に第２フィルターを内蔵した第２キャップを装着し、標識抗体を含む検体  濾過液をテストデバイスに注入する方法（従来から主として実施されている検査方法）ｂ．本発明法：
先端に攪拌子を取り付けた第１キャップ（第１フィルターを内蔵している）を、希釈  検体液を収容した容器本体に装着して検体収容容器となし、この検体収容容器を第２フ  ィルターを装着した抽出用容器に回転自在に嵌合させ、注入用容器内に希釈検体液を吐  出し、これを攪拌子によって攪拌・混合した後、注入用容器から標識抗体を含む検体濾  過液をテストデバイスへ注入する方法（実施例１の検査方法）
（２）供試した試薬類や部材の調製
ａ．希釈検体液
緩衝液に界面活性剤などを添加して製した希釈液によって卵培養したウイルス(1.25
×10７)を６．２５倍から１２５倍まで段階的に希釈した検体を加えて攪拌し、希釈検
体液を調製した。
ｂ．標識抗体液
すでに広く知られている金コロイド調製法により金コロイドを調製した後、抗インフ  ルエンザＡ型抗体及び抗インフルエンザＢ型抗体を既知の方法で結合させて、それぞれ  の金コロイド標識抗体が混合している状態の標識抗体液を作成した。
ｃ．第１フィルター（標識抗体を含浸させたフィルター）の作成
上記の標識抗体液を２滴ずつ、ガラス繊維系の濾紙に塗布した後、自然乾燥させ、そ  の上に別の濾紙を１枚重ねて第１フィルターとした。
ｄ．テストデバイスの調製
選択されたポアサイズを有するメンブランに抗インフルエンザＡ型抗体及び抗インフ  ルエンザＢ型抗体並びに抗マウスＩｇＧに対する抗体のそれぞれ至適量をテストデバイ  スの所定の場所に塗布した。その際、塗布する形状は任意の形状とすることが可能であ  り、反応後の視認性を考慮して、塗布間隔及び塗布量を決定した。また、検体液と標識  抗体との混合液を滴下する開口部は、円形、楕円形、長四角形、菱形、台形など、検出  するサインの数などの目的に合わせて選択することができるが、３種類のサインの検出  を目的とする本試験例の場合は、視認性のよい楕円形が好ましいので、楕円形を選択し  た。なお、抗マウスＩｇＧに対する抗体の代わりにヒトインフルエンザＡ型抗原及びＢ  型抗原の混合体を選択してもよい。
ｅ．洗浄液
緩衝液にウレアなどの蛋白変性剤を添加して調製した。
（３）試験結果
【００３７】
【表１】
2005249388.tif 000003
抗原：A /Kitakyusyu/159/93
（注１）原ウイルス量は、公知のTCID５０(50% tissue culture infective dose) で算出
したものを併記した。
（注２）ブランクとして、生理食塩液を用いた。
（注３）−：陰性、＋：陽性、＋＋：強陽性、を示す。
【００３８】
【表２】
2005249388.tif 000004
抗原：B /Lee/40
（注１）原ウイルス量は、公知のTCID５０(50% tissue culture infective dose) で算出
したものを併記した。
（注２）ブランクとして、生理食塩液を用いた。
（注３）−：陰性、＋：陽性、＋＋：強陽性、を示す。
（４）所見
表１・表２から、本発明法（希釈検体液を標識抗体含浸フィルターを通過させ、かつ標識抗体を含む検体濾過液を攪拌する方法）は、従来法（希釈検体液に標識抗体液を滴下する方法）と一致する結果が得られることが確認された。この結果から、本発明法の検査精度は、従来法と同等であることが理解できる。
【試験例２】
【００３９】
＜本発明法と従来法の検査所要時間の比較試験＞
（１）試験方法
試験例１で実施した２通りの試験方法（本発明法と従来法）について、それぞれの方法によって「希釈検体液を検体収容容器の容器本体に収容する直前からテストデバイスへ吐出・注入する直前までの所要時間」を計測した。その方法は、各試験方法ごとに５名のパネラー（検体の免疫学的検査の未経験者）を選んで両試験をおこなわせ、所要時間を計測した。なお、所要時間の計測は３０秒単位でおこなった。すなわち、５分から５分３０秒の間に終了すれば５分３０秒を、５分３０秒から６分の間に終了すれば６分を、それぞれ所要時間とした。試験結果を表３に示す。
（２）試験結果
【００４０】
【表３】
2005249388.tif 000005
（２）所見
表３から、本発明法は、従来法に比べて、検査所要時間を格段に短縮できることが確認された。
【産業上の利用性】
【００４１】
以上、詳細に説明するとおり、本発明に係る検体の検査方法とその方法に用いる検査器具は、臨床検体、例えば、血液、尿、便、鼻孔・鼻腔・咽頭・鼻咽頭などを由来とする鼻汁液や鼻汁吸引液、痰或いはスワブ検体として収集された分泌液などの各種の検体を免疫学的に検査するのに有用であり、例えば、インフルエンザウイルスなどの感染症の検査や緊急簡易検査に用いるのに好適である。特に、ヒトインフルエンザＡ型ウイルス又はヒトインフルエンザＢ型ウイルスの存在を短時間のうちに検出し、かつ、鑑別するための方法及びそのための器具として大いに有用である。
【図面の簡単な説明】
【００４２】
【図１】実施例１の検体の検査方法及び検査器具の説明図
【図２】Ａは、実施例１で用いる検体収容容器を注入用容器に回転自在に嵌合させた状態を示す説明図、Ｂは、検体収容容器を注入用容器に密着させた状態を示す説明図
【符号の説明】
【００４３】
１：検体収容容器、  ２：検体収容容器の容器本体、  21：その外壁に設けたリブ、    22：ストッパー、  ３：第１キャップ、  31：そのノズル状部、  32：その細い溝、    ４：攪拌子、  41：攪拌翼、  ５：第１フィルター、  ６：第２キャップ、
61：そのノズル状部、  ７：第２フィルター、  ８：注入用容器の容器本体、
９：注入用容器、  ａ：希釈検体液
【図１】
2005249388.tif 000006
【図２】
2005249388.tif 000007